(57)【要約】【課題】狭い間口でも容易に搬入移動することができ、更に施工時の組立個数が少なく、しかも組立手段が容易であるボックス型サウナを提供する。【課題を解決するための手段】箱型形状に形成されるボックス本体１にヒータ２４・３３を内装して使用者に発汗作用を行わせるようにするボックス型サウナであって、該ボックス型サウナは、前記ボックス本体１を、扉部２１を有する前方本体２と座部３１を有する後方本体３とに分割形成し、前方本体２及び後方本体３の接合面２５・３４下端部に相互接合部材２５２・３４２を配設すると共に接合面２５・３４上端部に各々相互固定片２５１・３４１を配備させて成り、各相互接合部材２５２・３４２と各相互固定片２５１・３４１を固定部材４・５・６・７で固定して容易に組立できるよう構成する。【選択図】  図４
2004167029.tif 000002
【特許請求の範囲】
【請求項１】
箱型形状に形成されるボックス本体にヒータを内装して使用者に発汗作用を行わせるようにするボックス型サウナであって、該ボックス型サウナは、前記ボックス本体を、扉部を有する前方本体と座部を有する後方本体とに分割形成し、前方本体及び後方本体の接合面下端部に相互接合部材を配設すると共に接合面上端部に各々相互固定片を配備させて成り、相互接合部材と相互固定片を固定部材で固定して組立できるよう構成した事を特徴とするボックス型サウナ。
【請求項２】
前記前方本体及び後方本体の接合面上端部に各々相互固定片を下方側に突出するよう配備させた事を特徴とする請求項１記載のボックス型サウナ。
【発明の詳細な説明】
【０００１】
【産業上の利用分野】
本発明は、搬入や組立が容易なボックス型サウナに関するものである。
【０００２】
【従来の技術】
従来、ボックス型サウナは、サウナ本体前面に扉部を有し、且つ内部には着座するための座部を備えると共に壁面周囲や座下等にヒータを配設して構成され、ヒータの熱照射により使用者に発汗作用を行わせるようにしたものが一般的である。
【０００３】
使用者が室内に入って熱照射を受ける目的のものである為、比較的使用者の平均身長と同様以上の高さと内部に入り込んで体位を変換するための奥行とを必要としており、通常一人用としては幅７００ｍｍで奥行８５０ｍｍ、高さ１７００ｍｍ程度の容積を標準としたボックス型サウナに形成されている。
【０００４】
前記のように比較的大きな容積を要するボックス型サウナを、所定の設置場所に搬送するにあたっては、通常は組み立てられたサウナ本体を搬入するために、家屋の出入り口や階段などでサウナ本体の一部がつかえ、運搬することが難しいという問題があり、そのため、サウナ本体の搬入を容易にするための手段として従来のより、ノックダウン型や分割型と呼ばれるボックス型サウナが提案され、採用されている。
【０００５】
例えば、ノックダウン型は、随意に組み立てと分解が行え、運搬が極めて容易にできるようにしたタイプのものであるが、例えば、組立式サウナ室を、底座と一組の前面板、そして一組の側面板と一組の後面板、更に上蓋とゲート板とで構成し、これらの構成部分にそれぞれ設けた凸縁とみぞの嵌合により組み立てする事ができ、またこれらの嵌合を解除して分解する事ができるようにしている。
【特許文献】
実開平７−３３３３３号公報（第５頁、図１）
【０００６】
また、分割型としては、サウナ風呂を予めサウナ本体の前部と後部に分割しておき、施工時に組立容易にすることができるようにしたものであり、まずサウナ本体上部さし込みを抜き、次いでサウナ本体の前部と後部を表側側面にて結合するための嵌脱自在とする金具を外すことによって分割している。
【特許文献】
特開昭６１−１２５３５０号公報（第２頁左欄及び右欄、図１）
【０００７】
更に、分割型としては、サウナ本体を前部箱体と後部箱体に分割して構成し、前部箱体と後部箱体のそれぞれの開口部を合わせて金具で合体させてボックス型サウナを構成するようにしたものも開示されている。
【特許文献】
実開昭６４−４２０４０号公報（第３頁、図２）
【０００８】
【発明が解決しようとする課題】
ところで、前記ノックダウン型にて設置する方法は、サウナ本体の構成部分に設けた凸縁とみぞの嵌合により組み立てるものであるが、施工時に多数の板材を組み立てたり、組みたてる板材の数量に伴い防水のための防水処理を施さなければならなかったりするという煩雑な施工工程が必要な為に、サウナ室の施工の容易化や簡略化，工期の短縮化，施工コストの低減化などが妨げられるという問題がある。
【０００９】
また、分割型の場合において、前者の場合にはサウナ本体の前部と後部を表側側面に取り付けられた金具により結合していることから、該サウナ本体の側面に建具や壁面などが近接、或いは当接しているような設置場所の場合に、施工時に設置場所にサウナ本体の前部と後部を設置した後、金具で結合することに困難性を有し、またサウナ本体を分割移動させる時にも金具を離脱させることにも困難性を有するという欠点がある。
【００１０】
更に、後者の分割型の場合には、搬入する時の傾きや揺れで内面板が外れて落下の衝撃による損傷を被る可能性があり、それを防ぐには部材の搬入後にサウナ本体の内壁に内面板を取り付けなければならず、やはり施工の手間がかかるという問題がある。
【００１１】
本発明は、上記問題点を解消する為に成されたものであり、狭い間口でも容易に搬入移動することができ、更に施工時の組立個数が少なく、しかも組立手段が容易であるボックス型サウナを提供する事を目的とするものである。
【００１２】
【課題を解決するための手段】
すなわち本発明のボックス型サウナは、箱型形状に形成されるボックス本体にヒータを内装して使用者に発汗作用を行わせるようにするボックス型サウナであって、該ボックス型サウナは、前記ボックス本体を、扉部を有する前方本体と座部を有する後方本体とに分割形成し、前方本体及び後方本体の接合面下端部に相互接合部材を配設すると共に接合面上端部に各々相互固定片を配備させて成り、相互接合部材と相互固定片を固定部材で固定して容易に組立できるよう構成した事を特徴とするものである。
【００１３】
また、本発明のボックス型サウナは、前方本体及び後方本体の接合面上端部に各々相互固定片を下方側に突出するよう配備させた事を特徴とするものである。
【００１４】
本発明のボックス型サウナは、上記のように構成することにより次のような作用をもたらす。
すなわち、本発明のボックス型サウナは、箱型形状のボックス本体を前方本体と後方本体とに分割形成されており、前方本体及び後方本体の接合面下端部に相対的に配設された相互接合部材と接合面上端部に各々配備された相互固定片とを固定部材で固定するだけで容易に組立できるように構成している為、比較的小寸法の状態で搬送や移送が可能であり、狭い間口でも容易に搬入することができ、しかも施工時の組立工程においては簡単な作業で且つ短時間で作業を完了させる事ができる。
【００１５】
また本発明は、前方本体及び後方本体の接合面上端部に各々相互固定片を下方側に突出するよう配備させている為、壁前の空間が狭い場合のようにボックス本体を住宅の壁中に組み込む際においても、前記前部本体と後部本体とを壁中に挿入してからボックス本体の内部側から前方本体と後方本体を容易に連結固定させる事ができる。
【００１６】
【発明の実施の形態】
以下に、本発明のボックス型サウナを、図面に示す一実施形態に基づきこれを詳細に説明する。
図１は本発明のボックス型サウナの一実施形態を示す斜視図であり、図２は本発明のボックス型サウナの一実施形態を示す分解図であり、図３は本発明のボックス型サウナの一実施形態を示す縦断面図であり、図４は本発明のボックス型サウナの一実施形態を示す説明図であり、図５は本発明のボックス型サウナの組立時の一実施形態を示す部分説明図であり、図６は本発明のボックス型サウナの組立時の他の実施形態を示す部分説明図である。
【００１７】
すなわち、図１と図２の実施形態で示したように、本発明のボックス型サウナのサウナ本体１は、該ボックス本体１の前方部を形成した前方本体２と、該ボックス本体１の後方部を形成した後方本体３とに分割形成されている。
【００１８】
前記前方本体２の前面部には使用者の出入りのための扉２１が配設されており、該扉部２１は蝶番（図示せず）により固定され手前方向に開閉自在にして設けられており、該扉部２１の上部には透明なガラス素材や樹脂素材で形成される窓２２を嵌着して、使用者が外部状況を確認する事ができると共に、第三者が使用者の使用状況を確認できるようにしている。
【００１９】
また前方本体２の前面には、電源スイッチや温度設定用スイッチ等の制御装置２３が設けられており、本発明のボックス型サウナにおける稼動及び停止を行わせるようにしている。
【００２０】
前方本体２の内壁面の両側隅等には、図３に示したように、使用者全身に遠赤外線を照射し得る面状ヒータ２４を配設しており、ボックス本体１の後方部を構成する後方本体３は内部に一定の高さに支持された座部３１を設け、その座部の下方にヒータ止板３２を立設し、該ヒータ止板３２の前面適所に座下ヒータ３３を配設することによって足後方からも熱照射されるようになっている。
【００２１】
前記前方本体２及び後方本体３は、各々の幅を７００ｍｍとし、奥行を４２５ｍｍにし、高さを１，７００ｍｍにしたものを例示しており、該前方本体２と後方本体３を結合する事により、幅７００ｍｍ、奥行８５０ｍｍ、高さ１，７００ｍｍのボックス型サウナ本体１を形成することができる。
【００２２】
前記面状ヒータ２４及び前記座下ヒータ３３は、遠赤外線を照射すべく、電気不良導体の基盤に炭素粉末とポリエチレン等の結合材を混合したものを面材に塗布して所要の電気抵抗を有する抵抗膜を形成するようにしたものである。
【００２３】
以上のように構成された本発明を使用する場合にあっては、電源スイッチを入れてボックス本体１内の各面状ヒータ２４及び座下ヒータ３３を一定温度まで上昇させ、使用者は座部３１に着座する事で、座下ヒータ３３からの熱照射と面状ヒータ２４の熱照射とにより使用者の全身に適温の熱照射を行う事ができるのである。
【００２４】
前記前方本体２の前方本体接合面２５と前記後方本体３の後方本体接合面３４とは、図４に示したように、各々の対向面を接合させて、該前方本体２の前方本体接合面２５の上端に設けられた相互固定辺２５１と、該後方本体３の後方箱体接合面３４の上端に設けられた相互固定辺３４１とを固定部材により固定する。
【００２５】
尚、前記固定部材は、図面ではボルト４とナット５を使用した場合を例示しており、これらボルト４とナット５による固定部材を使用する場合には、各相互固定辺２５１・３４１の幅方向に、一定間隔毎に固定部材で固定して、前方本体２と後方本体３の双方を連結する事ができるである。
【００２６】
更に前記前方本体接合面２５の下端に設けられた相互接合部材２５２と、前記後方本体接合面３４の下端に設けられた相互接合部材３４２とも同様に、各々の対向面を接合させて、該前方本体２の相互接合部材２５２と後方本体３の相互接合部材３４２とを固定部材により固定する。
【００２７】
図５は前記固定部材が、連結用ジョイント６と連結用シャフト７である場合を示したものであり、これら連結用ジョイント６と連結用シャフト７による固定部材を使用する場合には、先ず、一定間隔毎に連結用シャフト７の頭部７１を前記相互接合部材２５２の挿入口２５３を介して前記連結用ジョイント６内部に挿入した後、該連結用ジョイント６の上部ネジ穴６１をドライバ等で回すことによって該連結用シャフト７が該連結用ジョイント６に係合し、前記相互接合部材２５２と相互接合部材３４２とを連結して前方本体２と後方本体３の双方を固定することができる。
【００２８】
尚、図面では、前記上部ネジ穴６１の上部に、樹脂キャップ６２を嵌着させた場合を例示しており、この樹脂キャップ６２使用する事で外観視の状態を奇麗にする事ができ、特に、前記連結用ジョイント６が金属製である場合には、該上部ネジ穴６１の金属面が露出されないために、使用者に火傷の危険を防止することができる。
【００２９】
また、ボックス本体１内部で発汗作用により生じる水分が漏洩しないように、前方本体２と後方本体３とが連結固定された後、前方本体接合面２５と後方本体接合面３４との接合面１１に、コーキング剤などによる防水加工を施せば尚良い。
【００３０】
図６は、前方本体接合面２５の上端に設けられた相互固定辺２５１を下方側に突出するようにした前方本体２と、後方箱体接合面３４の上端に設けられた相互固定辺３４１を下方側に突出するようにした後方本体３とを、ボックス本体１の内部側からボルト４とナット５（固定部材）で固定する場合を例示したものであり、このように内部側からの固定を可能にする事により、壁前の空間が狭い場合のようにボックス本体１を住宅の壁中に組み込む際においても、前記前部本体２と後部本体３とを壁中に挿入してから容易に内部側から連結する事ができる。
【００３１】
【発明の効果】
よって、本発明のボックス型サウナは、箱型形状のボックス本体を前方本体と後方本体とに分割形成されており、前方本体及び後方本体の接合面下端部に相対的に配設された相互接合部材と接合面上端部に各々配備された相互固定片とを固定部材で固定するだけで容易に組立できるように構成している為、ノックダウン型や分割型と呼ばれる従来のボックス型サウナとは異なり、比較的小寸法の状態で搬送や移送が可能であり、狭い間口でも容易に搬入することができ、しかも施工時の組立工程においては簡単な作業で且つ短時間で作業を完了させる事ができ、組立コストの低減化などを図る事ができる。
【００３２】
また、本発明のボックス型サウナは、上記のように分割形成された前方本体と後方本体を、任意の場所で容易に組立できるようにしている為、建具や壁面などが近接、或いは当接しているような設置場所であっても容易に組立設置及び分解移動する事ができるので、あらゆる家屋の設置条件にも対応することができ、汎用性あるボックス型サウナを実現する事ができる。
【図面の簡単な説明】
【図１】本発明のボックス型サウナの一実施形態を示す斜視図である。
【図２】本発明のボックス型サウナの一実施形態を示す分解図である。
【図３】本発明のボックス型サウナの一実施形態を示す縦断面図である。
【図４】本発明のボックス型サウナの一実施形態を示す説明図である。
【図５】本発明のボックス型サウナの組立時の一実施形態を示す部分説明図である。
【図６】本発明のボックス型サウナの組立時の他の実施形態を示す部分説明図である。
【符号の説明】
１  ボックス本体
２  前方本体
２１  扉部
２４  ヒータ
２５  前方本体接合面
２５１  相互固定辺
２５２  相互接合部材
３  後方本体
３１  座部
３３  ヒータ
３４  後方本体接合面
３４１  相互固定辺
３４２  相互接合部材
４  ボルト（固定部材）
５  ナット（固定部材）
６  連結用ジョイント（固定部材）
７  連結用シャフト（固定部材）
【図１】
2004167029.tif 000003
【図２】
2004167029.tif 000004
【図３】
2004167029.tif 000005
【図４】
2004167029.tif 000006
【図５】
2004167029.tif 000007
【図６】
2004167029.tif 000008